(57)【特許請求の範囲】
【請求項１】
ペット展示用に開口されている壁面開口部に、その壁面の内方より箱形状に形成されたペット展示ケースの少なくとも透明な正面パネルを対向させ、且つ複数の前記ペット展示ケースを前記壁面の展示通路方向に連設させて固定設置し、
前記壁面開口部より前記正面パネルを透かして前記ペット展示ケースに収納されているペットを観察させるとともに、その両側の側面パネルを透かして隣接する前記ペット展示ケースに収納されているペットをも観察させる拡大展示領域を構成し、
前記ペット展示ケースの正面側に、正面開口部を有するケース正面側枠部を備えるとともに、該正面開口部を閉鎖する前記正面パネルとしての正面扉を備え、
前記正面開口部の大きさよりも一回り小さい開口を有する正面枠体を、前記ケース正面側枠部から前記正面開口部に突出するように該ケース正面側枠部に配置し、
前記正面枠体より一回り大きい開口を有する扉支持枠を、前記ケース正面側枠部の前方に突出するように該ケース正面側枠部に配置し、
前記正面開口部を前記正面扉により閉鎖した状態において、前記正面扉の外周部のうち、正面扉外周面が前記扉支持枠の内周面と対向するとともに、正面扉外周部内面が前記正面枠体の前面と対向した
ペット展示構造物。
【請求項２】
前記ペット展示ケースを、
前記展示通路方向に連設して組み込むとともに、各ペット展示ケースの側面を、前記正面パネルの正面外方から室内の内方側面を貫いて隣接するペット展示ケース内を見渡すことが可能なクリアパネルで構成した
請求項１に記載のペット展示構造物。
【請求項３】
前記ペット展示ケースの背面に位置する背面パネルを不透明のパネルで構成した
請求項１または２に記載のペット展示構造物。
【請求項４】
請求項１〜３の何れか１項に記載のペット展示構造物を構成するペット展示ケース。
【発明の詳細な説明】
【技術分野】
【０００１】
この発明は、ペットショップに設置されてペットを展示販売するペット展示構造物に関し、さらに詳しくはペットを容易に観察できるようにしたペット展示構造物に関する。
【背景技術】
【０００２】
一般に、ペットショップのペット展示フロアには、ペットを個別に収納する各ケースを展示面に整列して組み込んだペット展示構造物が配置されている。この種のペット展示構造物はケースに子犬や子猫等のペットを収納してペットを個別に展示している。さらに、このようなケース展示形態だけでなく、上方を開放した広いスペースをとって周囲を囲った放し飼い空間を作り、ここに一匹あるいは複数のペットを入れて放し飼い展示する放し飼い展示形態を併用したペット展示販売ブースが提案されている（例えば特許文献１参照）。
【０００３】
ところが、放し飼い展示形態では、ペットの動きを阻害しない利点がある反面、ペットの放し飼いによりペット間の過度のじゃれあいや喧嘩、あるいは客との間でのトラブル等が発生しないように監視する必要があった。このため、放し飼いによる展示形態では広いスペースと人手を要し、またトラブルや病気の感染のおそれがあり、ペットの長時間展示には好ましくなかった。
【０００４】
さらに、ペットを管理する形態の一例として、ペットを収納したケースを上下左右に多数組み込んで立体的に集合配置したペット販売用のブース構造が提案されている（例えば特許文献２参照）。
【０００５】
しかし、ペット販売用ブース構造に用いられるケースは、正面側の透明パネルを透かして室内のペットを観察しているが、ケース正面の位置より少しずれた位置からでは壁面に遮られるなどにより見ることができず、視界に制限を受けていた。
【０００６】
例えば、ペット展示フロアの通路方向において、客はケースの正面位置に至るまで、そのケースに収納されているペットを見られなかった。また、混雑している場合や人気のあるペットなどで特定のケースに客が集中している場合は、前客が移動するまで目的のペットを見ることができなかった。
【０００７】
また、この種のケースではペットを収納しているペット収納空間が狭くて窮屈なイメージのケースになっていた。このため、ケースであっても開放感があり、該ケース内のペットが見やすくなるような展示性に優れたケースの開発が望まれていた。
【先行技術文献】
【特許文献】
【０００８】
【特許文献１】特開２００９−８２０７８号
【特許文献２】特許第３９４６７５１号
【発明の概要】
【発明が解決しようとする課題】
【０００９】
そこでこの発明は、上述の課題に鑑み、立体的な構造物でペットを展示する際に、客の視界を制限せず、客の視界を十分に広げることができる展示性に優れたペット展示構造物を提供することを課題とする。
【課題を解決するための手段】
【００１０】
この発明は、ペット展示用に開口されている壁面開口部に、その壁面の内方より箱形状に形成されたペット展示ケースの少なくとも透明な正面パネルを対向させ、且つ複数の前記ペット展示ケースを前記壁面の展示通路方向に連設させて固定設置し、前記壁面開口部より前記正面パネルを透かして前記ペット展示ケースに収納されているペットを観察させるとともに、その両側の側面パネルを透かして隣接する前記ペット展示ケースに収納されているペットをも観察させる拡大展示領域を構成し、前記ペット展示ケースの正面側に、正面開口部を有するケース正面側枠部を備えるとともに、該正面開口部を閉鎖する前記正面パネルとしての正面扉を備え、前記正面開口部の大きさよりも一回り小さい開口を有する正面枠体を、前記ケース正面側枠部から前記正面開口部に突出するように該ケース正面側枠部に配置し、前記正面枠体より一回り大きい開口を有する扉支持枠を、前記ケース正面側枠部の前方に突出するように該ケース正面側枠部に配置し、前記正面開口部を前記正面扉により閉鎖した状態において、前記正面扉の外周部のうち、正面扉外周面が前記扉支持枠の内周面と対向するとともに、正面扉外周部内面が前記正面枠体の前面と対向したペット展示構造物であることを特徴とする。
【００１１】
他の実施態様として、前記ペット展示ケースを、前記展示通路方向に連設して組み込むとともに、各ペット展示ケースの側面を、前記正面パネルの正面外方から室内の内方側面を貫いて隣接するペット展示ケース内を見渡すことが可能なクリアパネルで構成することができる。
【００１２】
他の実施態様として、前記ペット展示ケースの背面に位置する背面パネルを不透明のパネルで構成することができる。
【００１３】
他の実施態様として、前記ペット展示構造物を複数のペット展示ケースにより構成することができる。
【発明の効果】
【００１４】
この発明によれば、ペット展示構造物の各ケースはそのケース内の側方を見通すことができるため客は側方に対する視界制限を受けなくなる。このため、各ケースがペット展示構造物に組み込まれた状態にあっても、そのケース内での視界が広がり、１個のペット展示ケース内だけでなく、その左右に隣接する別のペット展示ケース内をも見ることができる。この結果、客は視界が広がるため客の立ち位置によりペットを見る角度が制限されることが少なくなり、客のストレスが溜まらなくなる。また、客はケース正面から隣のペットを観察することができ、１個のケース内において隣接する他のペットと見比べることが可能になる。また、ケースの室内全体に開放感を持たせることができるためペットにおいてもケース内から正面と両側方を見通すことが可能になり、ケース内での閉鎖感を解消してペットのストレスも溜まらなくなる。
【図面の簡単な説明】
【００１５】
【図１】ペット展示構造物を示す外観斜視図。
【図２】ペット展示ケースを示す外観斜視図。
【図３】（Ａ）はペット展示ケースの平面図、（Ｂ）はペット展示ケースの正面図、（Ｃ）はペット展示ケースの背面図、（Ｄ）はペット展示ケースの側面図。
【図４】（Ａ）はペット展示ケースの正面扉片開き状態を示す斜視図、（Ｂ）はペット展示ケースの縦断面図、（Ｃ）は正面扉外周部の開閉対応部分を示す要部拡大縦断面図、（Ｄ）は正面扉外周部の閉鎖状態とその隙間部分を示す要部拡大縦断面図。
【図５】ペット展示ケースの側面を対向させて連設した状態を示す要部斜視図。
【図６】（Ａ）はペット展示ケースを正面から見たペットの観察状態を示す説明図、（Ｂ）は連設されている複数のペット展示ケースを斜め側面から見たペットの観察状態を示す説明図。
【発明を実施するための形態】
【００１６】
この発明の実施の形態を図面に基づいて説明する。図面は開放感のある複数のペット展示ケースを連設して構成したペット展示構造物の実施形態を示す。
【実施例】
【００１７】
図１はペットショップに設置されるペット展示構造物１を示し、このペット展示構造物１は垂直な壁面１００に開口されているペット展示用の壁面開口部１１０に、箱形状に形成されたペット展示ケース２００の透明な正面扉２１０を前記壁面１００の内方より対向させ、且つ複数の前記ペット展示ケース２００を前記壁面１００の展示通路方向３００に連設させて固定設置している。また、前記壁面開口部１１０よりペット展示ケース２００の正面扉２１０を透かしてペット展示ケース２００に収納されているペットを観察させるとともに、該ペット展示ケース２００の両側の側面に設けられたクリアパネル２２０を透かして隣接するペット展示ケース２００に収納されているペットをも観察させる拡大展示領域２６０（図５参照）を構成したものである。
【００１８】
前記ペット展示構造物１は、図１に示すようにペット展示ケース２００を上下左右に連設して構成してもよく、また各ペット展示ケース２００の側面が対向する展示通路方向（左右方向）３００のみに連設して構成してもよい。また、図１ではペット展示ケース２００を大きさ別に分けて上下左右に立体的に配置構成している。ここではペット展示ケース２００の大きさが小型ケース２０１と中型ケース２０２と大型ケース２０３との３種類があり、これらのケース２０１，２０２，２０３を大きさ別に縦横に組み合わせて該ペット展示構造物１を構築している。図１では上段に最も軽量の小型ケース２０１を配置し、中段にやや軽量の中型ケース２０２を配置し、下段に最も重量のある大型ケース２０３を配置している。
【００１９】
前記壁面開口部１１０は、ケース周囲からの視界を広げるため展示通路方向３００を開放させ、店舗の天井構造物から垂設させた上部の壁面１００と下部の図示しない床面との上下面間を大きく開口した開口部であり、この上下面間の壁面開口部１１０でペット展示構造物１を上下より支持する構成を有している。このため、ペット展示構造物１は正面だけでなく側方も露出され、客は展示通路方向３００を通行し始めてペット展示構造物１が視界に入った時点からペットを見ることができるというケース外方からの視界を広げた構成を有している。
【００２０】
前記ペット展示ケース２００は、中型ケース２０２を例にとって示し、図２及び図３に示すように、側面が正方形を有する横長の箱形状に形成されている。このペット展示ケース２００は正面に透明の正面扉２１０を、背面に不透明の背面扉２３０を、上面に天板２４０を、下面に底板２５０を、側面に透明なクリアパネル２２０を備えている。
【００２１】
前記正面扉２１０は、横長の長方形を有する透明なガラス板、例えばフレームレス１枚ガラス板で形成されている。この正面扉２１０の取り付けに際して、図４（Ａ）にも示すように、ペット展示ケース２００の正面に開口されている横長の長方形状の正面開口部２１１に、該正面開口部２１１よりも一回り小さい横長の長方形状を有する正面枠体２１２が配置されており、この正面枠体２１２に対して該正面扉２１０の一側端部に設けられた後述する軸支部２１３を回動支点に他側端部を開閉させる片開き式に設けられている。
【００２２】
上述の軸支部２１３は、正面扉２１０と正面枠体２１２（図では正面枠体の左端側）との間を連結する蝶番等によって構成される。一方、他側端部の中間高さ位置には正面扉２１０を施錠または開錠するキーロック部２１４が備えられ、通常はこのキーロック部２１４により施錠されて正面扉２１０は閉鎖されている。
【００２３】
そして、この透明な正面扉２１０を透かして客は正面側からペット展示ケース２００内を明瞭に観察することができる。
【００２４】
前記正面開口部２１１をペットの出入口とする内方の空間には、ペットの室内に必要な設備、例えば照明器具、トレイ、吸水施設、温度及び空調等の設備が備えられる。さらに、正面開口部２１１に対して、これより一回り小さい開口を有する正面枠体２１２を設けることにより、その正面枠体２１２の下部側ではケース内の床面より若干立ち上がった起立壁となり、この起立壁が正面扉２１０を開けたときに室内からペットが誤って飛び出すのを防止している。また、ペットを出し入れする際に、ケース内に備えられているトレイ等の備品がケース内の床面を滑って落下するのを防止している。また、正面枠体２１２によって正面扉２１０の外周部との間での正面周囲の隙間が直進隙間でなくなるため外方から室内に向けて異物の挿入を規制する悪戯防止手段としての役目も有している。
【００２５】
さらに、正面枠体２１２の前方には、図４（Ｂ）に示すように、該正面枠体２１２より一回り大きい長方形状の開口を有して突出する扉支持枠２１５が設けられている。この扉支持枠２１５の枠内に前記正面扉２１０の外周部が対応して前記正面開口部２１１を閉鎖している。
【００２６】
この正面扉２１０の外周部と正面枠体２１２及び扉支持枠２１５との閉鎖対向面間は、図４（Ｃ）にも示すように、正面扉２１０の外周部のうち、正面扉外周面２１６が扉支持枠内周面２１７と閉鎖対向し、正面扉外周部内面２１８が正面枠体前面２１９と閉鎖対向している。
【００２７】
この正面扉２１０が正面開口部２１１を閉じた閉鎖状態を図４（Ｄ）に示す。この正面扉２１０の閉鎖状態では正面扉外周面２１６と扉支持枠内周面２１７との対向面間に形成される僅かな前後方向の対向隙間Ｌ１と、これより略直角に折曲して形成される正面扉外周部内面２１８と正面枠体前面２１９との対向面間に形成される僅かな左右方向の対向隙間Ｌ２との折曲したＬ形対向隙間Ｌ１，Ｌ２を隔てて閉鎖対向されることになる。
【００２８】
この折曲したＬ形対向隙間Ｌ１，Ｌ２を設けることによって、ケース内の空気が外部に漏れ難くなり、ペット展示ケース２００の正面側に対するペット臭の拡散防止に効果がある。また、図示しない空調設備を稼働させてケース内のペット臭を吸引する際には、前記Ｌ形対向隙間Ｌ１，Ｌ２が外気を室内に取り入れる吸気通路となる。
【００２９】
前記ペット展示ケース２００の背面に位置する背面扉２３０は、図３（Ｃ）に示すように、左右２枚のパネルを中央部より左右に開閉する両開き式に設けられている。また、ペット展示構造物１の背面側は目隠しとなる不透明の樹脂パネルを背面扉２３０として配置している。背面扉２３０を不透明な樹脂パネルにすると、カーテンのように邪魔にならず、すっきりとした見栄えとなる。また、樹脂製なので水分が染み込んだり腐る心配もなく、清潔に使用できる。
【００３０】
さらに、背面扉２３０には長孔を貫通して開口した背面通気孔２３１を上辺に沿って複数備えている。また、背面扉２３０にはケース内部に吸水口を配管して導くための吸水器取付孔２３２と、ケース内部の温度調整等に配線するための電源配線孔２３３とを下部に開口している。また、背面扉２３０の上下中央部には背面扉２３０を施錠または開錠する背面扉ロック部２３４が備えられている。通常はこの背面扉ロック部２３４により施錠されて背面扉２３０は閉鎖されている。
【００３１】
図３（Ｄ）はペット展示ケース２００の側面に設けられる透明なクリアパネル２２０を示したペット展示ケース２００の側面図である。このクリアパネル２２０は視界を遮らない透明で傷が付き難い強化ガラス板を用いる。この透明なクリアパネル２２０を用いることにより、側方からあるいは正面扉２１０の外方から室内を見たとき、室内を見るに留まらず、その室内のクリアパネル２２０を貫いて外方を見通すことができる。
【００３２】
ことに、図５に示すように、複数のペット展示ケース２００により構築したペット展示構造物１を構成することにより、側面または正面からケースの室内を見たとき、その側方のクリアパネル２２０を貫いて側面外方に隣接する別のペット展示ケース２００内を見通すことができる。
【００３３】
つまり、複数のペット展示ケース２００でペット展示構造物１を構築しても、これらの各ケース２００を見たときに視界が側方に広がるという拡大展示領域２６０を構成することができる。
【００３４】
図３（Ａ）は天板２４０を示し、この天板２４０は十分な強度を有する不透明な材質、例えばアルミ複合板によってペット展示ケース２００の天井を平面的に閉鎖するように設けている。また、この天板２４０と同構造を有して設けられる底板２５０によって同様にケース２００の床面を平面的に閉鎖するように設けている。
【００３５】
また、ペット展示ケース２００は箱形状の各面の枠部を、断面中空の四角形状に形成された丈夫で軽量なアルミフレーム等のフレーム枠２７０により支持して該ペット展示ケース２００の強度を十分に確保して構成している。
【００３６】
次に、このように構成されたペット展示構造物１の使用状態を、図６を参照して説明する。  
ペットショップに来店した客がペット展示構造物１の展示通路方向３００に沿って通行し、ペット展示構造物１が客の視界に入ると、その側面からペットを見ることができる。その後、ペット展示構造物１に近付いてペット展示ケース２００の正面でケース内を見たとき、図６（Ａ）に示すように、客は正面扉２１０を透かしてケース２００内のペット６００を観察するのは勿論のこと、その両側のクリアパネル２２０を透かして側方をも見ることができる。これにより、客は隣接するペット展示ケース２００に収納されているペット６１０，６２０をも視界に入り、１個のペット展示ケース２００から複数のペットを観察することができる。例えば、当該ケース内のペットと隣接するケース内のペットとを見比べることが可能になる。
【００３７】
さらに、図６（Ｂ）に示すように、ペット展示構造物１の側方から見た場合であっても、側方は透明なクリアパネル２２０が連設されているため、ペット展示ケース２００の左右の連設方向を見通すことができるクリアな空間が生じる。つまり、拡大展示領域２６０を形成することができる。この拡大展示領域２６０により客の視界を広げてペットの見易さを促進することができる。
【００３８】
上述のように、ペット展示構造物及び各ペット展示ケースの側方を見通すことができるため客は側方に対する視界制限を受けなくなる。このため、各ケースがペット展示構造物に組み込まれた状態にあっても、そのケース内での視界が広がり、ペットを十分に観察できるようになり、客のストレスが溜まらなくなる。さらに、ケースの室内全体に開放感を持たせることができるため、ペットにおいてもケース内から正面方向と両側方を見通すことが可能になり、ケースの閉鎖感を解消することが可能になる。このため、ペットのストレスも溜まらなくなる。
【００３９】
この発明の構成と、上述の実施例の構成との対応において、  
この発明の正面パネルは、実施例の正面扉２１０に対応し、  
以下同様に、側面パネルは、クリアパネル２２０に対応し、  
ケース正面側枠部は、ペット展示ケース２００の正面の枠部に対応するも、この発明は上述の実施例の構成に限定されるものではなく、請求項に記載される技術思想に基づいて応用することができる。
【００４０】
例えば、上述の実施例ではペット展示構造物の正面扉２１０とクリアパネル２２０とを壁面開口部１１０に露出させて正面と側面とからケース内を見れるように配置構成した一例を示したが、これに限らず、正面扉２１０のみを壁面開口部１１０に平面対向させて構成することもできる。また、ペット展示ケース２００の正面や側面に透明な材質としてガラス板を用いる例を示したが、これに限らず、アクリル板等の樹脂材質を用いて構成してもよい。
【産業上の利用可能性】
【００４１】
ペットをケースに入れて販売するペットショップなどに広く利用することができる。
【符号の説明】
【００４２】
１…ペット展示構造物
１００…壁面
１１０…壁面開口部
２００…ペット展示ケース
２１０…正面扉
２１２…正面枠体
２１５…扉支持枠
２２０…クリアパネル
２３０…背面扉
２６０…拡大展示領域
３００…展示通路方向
【図１】
0005645378.tif 000002
【図２】
0005645378.tif 000003
【図３】
0005645378.tif 000004
【図４】
0005645378.tif 000005
【図５】
0005645378.tif 000006
【図６】
0005645378.tif 000007